(57)【特許請求の範囲】
【請求項１】
カードの内部に所定の情報を書き込み、前記カードの表面に前記内部の情報に対応する情報を印字して発券するカード発券装置であって、
上側が広開口にされ、前記カードを一枚だけ通過させる搬出口が設けられ、前記広開口からバラバラと投函された複数のカードを一枚ずつ前記搬出口に搬送して落下させるホッパー部と、
このホッパー部にて取り込んだ前記カードを一枚毎に前記内部の情報に対応する情報を印字する表面と印字しない裏面とを判定して、表面側を一方向に揃える整列手段と、
前記整列手段で整列されたカードの表面側の文字を消去する文字消去手段と、  前記文字消去手段で文字が消去されたカードの内部情報を消去する情報消去手段と、
前記情報消去手段で内部情報が消去されたカードに、所望の情報を書込む情報書込手段と、
前記情報書込手段で情報が書込まれたカードの表面側に、前記情報に対応する文字を印字して排出する印字排出手段とを有することを特徴とするカード発券装置。
【請求項２】
前記整列手段は、
前記カードを受け取って反転させる反転部を有し、
前記カードを裏面と判定したときは、前記カードの受け取りに伴って反転させることを特徴とする請求項１に記載のカード発券装置。
【請求項３】
カードの内部に所定の情報を書き込み、前記カードの表面に前記内部の情報に対応する情報を印字して発券するカード発券装置であって、
上側が広開口にされ、かつ、前記カードを一枚だけ通過させる搬出口が設けられ、前記広開口から投函されたカードを前記搬出口に搬送して落下させるホッパー部と、
前記ホッパー部の搬出口に対向して設けられ、該搬出口からのカードを受けて、そのカードを垂直に立てた状態で搬送するカード垂直搬送系と、
前記カード垂直搬送系に連結され、前記カード垂直搬送系を出るカードを立てた状態で反転機で受け、該カードを受けたときのカードの表裏によって、前記反転機を異なる角度で回動させ、第１のストッカーに前記受け取ったカードの表面が上を向くように蓄積する表整列部と、
前記表整列部に連結され、前記表整列部の前記第１のストッカーに蓄積されたカードを一枚毎に抽出して搬送しながら、この搬送途中のカードの表面の印字情報を消去する印字情報消去部と、
前記印字情報消去部からのカードを受けて重ねて第２のストッカーに蓄積し、そのカードを一枚毎に搬送しながら、その内部情報を非接触で消去した後に、設定されている発券情報を非接触で記憶する情報読み書き部と、
前記発券情報に応じた印字情報を前記表面に印字して発券する印字排出機構部と、
前記表整列部の前記第１のストッカーに前記カードが蓄積されたとき、前記情報書き込み部の前記第２のストッカーのカードの蓄積枚数が所定以上かどうかを判定し、所定枚数以上のときは前記表整列部からの前記第１のストッカーに蓄積されているカードの送出を待機させると共に、前記情報書き込み部の前記第２のストッカーに蓄積されているカードを１枚取り出して前記発券させる制御演算部と
からなることを特徴とするカード発券装置。
【請求項４】
前記制御演算部は、情報書き込み部の前記第２のストッカーに前記カードが蓄積されていないときは、前記表整列部からカードを１枚、前記情報書き込み部に出力することを特徴とする請求項３記載のカード発券装置。
【請求項５】
箱内の周囲に、搬送系が連結されて設けられ、これらの搬送系で、表裏がそれぞれ異なる色のカードを搬送しながら、表面に所定の情報を印字して、内部に所定の情報を書き込んで発券するカード発券装置であって、
上側が広開口にされ、かつ、前記カードを一枚だけ通過させる搬出口が設けられ、前記広開口から投函されたカードを前記搬出口に搬送して落下させるホッパー部と、
前記ホッパー部の搬出口に対向して設けられ、該搬出口からのカードを受けて、そのカードを垂直に立てた状態で搬送するカード垂直搬送系と、
前記カード垂直搬送系に連結され、前記カード垂直搬送系を出るカードを立てた状態で反転機で受け、該カードを受けたときのカードの表裏によって、前記反転機を、異なる角度で回動させ、第１のストッカーに前記受け取ったカードの表面が上を向くように蓄積する表整列部と、
前記表整列部に連結され、前記表整列部の第１のストッカーに蓄積されたカードを一枚毎に抽出して搬送しながら搬送途中のカードの表面を加熱して印字情報を消去するヒータ搬送系と、
前記ヒータ搬送系に対して垂直に連結され、前記ヒータ搬送系からのカードを水平に受けて第２のストッカーに蓄積し、そのカードを一枚毎に搬送しながら、その内部情報を非接触で消去した後に、設定されている発券情報を非接触で記憶するリード／ライト搬送系と、
前記発券情報に応じた印字情報を前記表面に印字して発券する印字排出機構部と、
前記表整列部の前記第１のストッカーに前記カードが蓄積されたとき、前記リード／ライト搬送系の前記第２のストッカーのカードの蓄積枚数が所定以上かどうかを判定し、所定枚数以上のときは前記表整列部からの前記第１のストッカーに蓄積されているカードの送出を待機させると共に、前記リード／ライト搬送系の前記第２のストッカーに蓄積されているカードを１枚取り出して前記発券させる制御演算部と
からなることを特徴とするカード発券装置。
【請求項６】
前記制御演算部は、リード／ライト搬送系の前記第２のストッカーに前記カードが蓄積されていないときは、前記表整列部からカードを１枚、前記リード／ライト搬送系に出力することを特徴とする請求項５記載のカード発券装置。
【発明の詳細な説明】
【０００１】
【発明の属する技術分野】
本発明は、バラバラに投函された各カードの表面に、自動的に所望の発券情報を印字すると共に、自動的に内部に所望の発券情報を記憶するカード発券装置に関する。
【０００２】
【従来の技術】
一般的にスキー場のリフト乗り場は非常に混雑する。この混雑を整理して、リフトへのスキーヤーの流れを円滑にするために、かつリフトへの不正搭乗等を防止する等のために、リフト乗り場には、その改札ゲート付近に改札係が配置されている。
【０００３】
この改札係は、改札ゲートを通過するスキーヤーの腕等に、ホルダにより担持されたリフト券の数字をパンチ等で穴開けした後に、リフトにスキーヤーを誘導していた。
【０００４】
しかし、このような改札業務は、冬季の野外という環境で行うため改札係にとっては、非常に辛い仕事でもあった。
【０００５】
また、非常に混雑するスキー場では、一つのリフト乗り場に複数のリフトを設けるのが一般的である。このような場合は、改札も複数となり、その改札数に応じた員数を配置しなければならないので人件費も非常にかかる。
【０００６】
このようなことから、近年は、図１３に示すように、発信機能付きの非接触ＩＣカードにスキー場のリフト券の情報（スキー場名、年月日、券種、金額等）を書込んだリフト券カードを、スキーヤーの腕等に担持させ、改札ゲートにてリフト券カードの情報を非接触で自動的に読込んで改札するスキー場自動改札システムを配置したスキー場もある。
【０００７】
このリフト券カードは、例えば一日券用のリフト券カード１ａ、半日券用のリフト券カード１ｂ、回数券用のリフト券カード１ｃ、ナイター券用のリフト券カード１ｄ等の種類がある。これらのリフト券カードは、表面にはスキー場名と、年月日と、券種と、金額と（以下総称して印字情報という）がサーマル記録紙で印字されていると共に、内部に同様な情報（以下内部情報という）が記憶されている。また、リフト券カードは、それぞれ表裏の色が異なっている。
【０００８】
図１３に示すスキー場自動改札システムは、文字及び内部情報が書込まれていない非接触ＩＣカード３（以下単にカード３という）に所定のリフト券情報を書込んだリフト券カード１ａ、１ｂ、１ｃ、１ｄを発券するリフトカード発券機５を販売所に配置している。
【０００９】
また、ゲレンデには、挿入されたリフト券カード１ａ、１ｂ、１ｃ、１ｄが自スキー場のものであれば、内部情報と表面の印字情報を消去したカード３にして回収箱１１に投入すると共に、預かり代金を返却するリフト券回収機１３等を配置している。
【００１０】
さらに、改札ゲートには、スキーヤーがゲートを通過する都度、リフト券カード１ａ、１ｂ、１ｃ、１ｄの内部情報を非接触で自動的に読込んで通過を許可するゲート機１５ａ、１５ｂ……とを配置している。
【００１１】
リフトカード発券機５には、券種に対応するストッカー１７ａ、１７ｂ、１７ｃ、１７ｄが設けられている。これらのストッカーは、例えば、一日券はストッカー１７ａ、半日券はストッカー１７ｂ、回数券はストッカー１７ｃ、ナイター券はストッカー１７ｄにそれぞれ挿入するようにされている。
【００１２】
このようなスキー場自動改札システムは、初めは販売所の係員は、メーカー側から配布された印字情報及び内部情報が書込まれていない複数のカード３をリフトカード発行機５のストッカー１７ａ、１７ｂ、１７ｃ、１７ｄに挿入する。このとき、文字が張り付けられる面を上にして積み重ねる。
【００１３】
そして、販売所の係員はカード発券機５を操作して、一日券、半日券、回数券、ナイター券等の券種及び発行枚数等を入力して、リフトカード発行機５から所定のスキー場情報（印字情報と内部情報）を書込んだリフト券カード１ａ、１ｂ、１ｃ、１ｄを発券させていた。
【００１４】
そして、販売所の係員はカード発券機５の券種毎のストッカー１７ａ、１７ｂ、１７ｃ、１７ｄに、対応するストッカーにリフト券カード１ａ、１ｂ、１ｃ、１ｄを挿入していた。この各スタッカーへの挿入は、再び文字面を上にして積み重ねる。
【００１５】
そして、販売所に直接くるスキーヤーに所望のリフト券カード１ａ、１ｂ、１ｃ、１ｄを発行していた。
【００１６】
また、スキー場の係員は、所定期間経過したころリフト券回収機１３内の回収箱１１を販売所に持ち込み、回収箱１１内の複数のカード１をそれぞれ表を上にしてリフトカード発行機５のストッカー１７ａ、１７ｂ、１７ｃ、１７ｄに積み重ね、所望のリフト券カードを発券させ、再び券種に対応する各ストッカーに積み重ねていた。
【００１７】
【発明が解決しようとする課題】
しかしながら、従来のカード発券機は、リフト券カードの発券は、販売所の係員が印字情報と内部情報とが無いカードの表側を上にしてリフトカード発券機のストッパーに積み重ねて発券している。
【００１８】
従って、発券枚数が非常に多い場合は、作業時間が非常に長くなるという問題点があった。
【００１９】
スキー場においては、一般には、リフト券の有効期間は１日とか半日としているため、毎日同様な作業をして翌日に備えなければならない。
【００２０】
特に、休日においては、非常に多くのスキーヤーが集まってくるので、前日の作業は非常に長時間になるという問題点があった。
【００２１】
本発明は以上の問題点を解決するためになされたもので、カード発券機を用いる係員が複数のカードの面を合わせて重ねてストッカーに積み重ねなくとも、単にカードをカード発券機に放り込むだけで、自動的に所望のカードを所望数得ることができるカード発券装置を得ることを目的とする。
【００２２】
【課題を解決するための手段】
請求項１は、カードの内部に所定の情報を書き込み、前記カードの表面に前記内部の情報に対応する情報を印字して発券するカード発券装置である。上側が広開口にされ、前記カードを一枚だけ通過させる搬出口が設けられ、前記広開口からバラバラと投函された複数のカードを一枚ずつ前記搬出口に搬送して落下させるホッパー部と、このホッパー部にて取り込んだ前記カードを一枚毎に前記内部の情報に対応する情報を印字する表面と印字しない裏面とを判定して、表面側を一方向に揃える整列手段と、前記整列手段で整列されたカードの表面側の文字を消去する文字消去手段と、前記文字消去手段で文字が消去されたカードの内部情報を消去する情報消去手段と、前記情報消去手段で内部情報が消去されたカードに、所望の情報を書込む情報書込手段と、前記情報書込手段で情報が書込まれたカードの表面側に、前記情報に対応する文字を印字して排出する印字排出手段とを有することを要旨とする。
【００２３】
請求項２は、前記整列手段は、前記カードを受け取って反転させる反転部を有し、前記カードを裏面と判定したときは、前記カードの受け取りに伴って反転させることを要旨とする。
【００２４】
請求項３は、カードの内部に所定の情報を書き込み、前記カードの表面に前記内部の情報に対応する情報を印字して発券するカード発券装置であって、上側が広開口にされ、かつ、前記カードを一枚だけ通過させる搬出口が設けられ、前記広開口から投函されたカードを前記搬出口に搬送して落下させるホッパー部と、前記ホッパー部の搬出口に対向して設けられ、該搬出口からのカードを受けて、そのカードを垂直に立てた状態で搬送するカード垂直搬送系と、前記カード垂直搬送系に連結され、前記カード垂直搬送系を出るカードを立てた状態で反転機で受け、該カードを受けたときのカードの表裏によって、前記反転機を異なる角度で回動させ、第１のストッカーに前記受け取ったカードの表面が上を向くように蓄積する表整列部と、前記表整列部に連結され、前記表整列部の前記第１のストッカーに蓄積されたカードを一枚毎に抽出して搬送しながら、この搬送途中のカードの表面の印字情報を消去する印字情報消去部と、前記印字情報消去部からのカードを受けて重ねて第２のストッカーに蓄積し、そのカードを一枚毎に搬送しながら、その内部情報を非接触で消去した後に、設定されている発券情報を非接触で記憶する情報読み書き部と、前記発券情報に応じた印字情報を前記表面に印字して発券する印字排出機構部と、前記表整列部の前記第１のストッカーに前記カードが蓄積されたとき、前記情報書き込み部の前記第２のストッカーのカードの蓄積枚数が所定以上かどうかを判定し、所定枚数以上のときは前記表整列部からの前記第１のストッカーに蓄積されているカードの送出を待機させると共に、前記情報書き込み部の前記第２のストッカーに蓄積されているカードを１枚取り出して前記発券させる制御演算部とからなることを要旨とする。
【００２５】
請求項４は、前記制御演算部は、情報書き込み部の前記第２のストッカーに前記カードが蓄積されていないときは、前記表整列部からカードを１枚、前記情報書き込み部に出力することを要旨とする。
【００２６】
請求項５は、箱内の周囲に、搬送系が連結されて設けられ、これらの搬送系で、表裏がそれぞれ異なる色のカードを搬送しながら、表面に所定の情報を印字して、内部に所定の情報を書き込んで発券するカード発券装置である。上側が広開口にされ、かつ、前記カードを一枚だけ通過させる搬出口が設けられ、前記広開口から投函されたカードを前記搬出口に搬送して落下させるホッパー部と、前記ホッパー部の搬出口に対向して設けられ、該搬出口からのカードを受けて、そのカードを垂直に立てた状態で搬送するカード垂直搬送系と、前記カード垂直搬送系に連結され、前記カード垂直搬送系を出るカードを立てた状態で反転機で受け、該カードを受けたときのカードの表裏によって、前記反転機を、異なる角度で回動させ、第１のストッカーに前記受け取ったカードの表面が上を向くように蓄積する表整列部と、前記表整列部に連結され、前記表整列部の第１のストッカーに蓄積されたカードを一枚毎に抽出して搬送しながら搬送途中のカードの表面を加熱して印字情報を消去するヒータ搬送系と、前記ヒータ搬送系に対して垂直に連結され、前記ヒータ搬送系からのカードを水平に受けて第２のストッカーに蓄積し、そのカードを一枚毎に搬送しながら、その内部情報を非接触で消去した後に、設定されている発券情報を非接触で記憶するリード／ライト搬送系と、前記発券情報に応じた印字情報を前記表面に印字して発券する印字排出機構部と、前記表整列部の前記第１のストッカーに前記カードが蓄積されたとき、前記リード／ライト搬送系の前記第２のストッカーのカードの蓄積枚数が所定以上かどうかを判定し、所定枚数以上のときは前記表整列部からの前記第１のストッカーに蓄積されているカードの送出を待機させると共に、前記リード／ライト搬送系の前記第２のストッカーに蓄積されているカードを１枚取り出して前記発券させる制御演算部とからなることを要旨とする。
【００２７】
請求項６は、前記制御演算部は、リード／ライト搬送系の前記第２のストッカーに前記カードが蓄積されていないときは、前記表整列部からカードを１枚、前記リード／ライト搬送系に出力することを要旨とする。
【００２９】
【発明の実施の形態】
図１は本発明の実施の形態のカード発券装置の概略構成図である。図２はカード発券装置の外観図である。但し、モータ等の駆動系は省略する。図１及び図２に示すように、カード発券装置は、カード発券機２０と操作端末２２とから構成されている。
【００３０】
このカード発券装置は、図２に示すように、ホッパー２４にバラバラに投入されたリフト券カード１ａ、１ｂ、１ｃ、１ｄ若しくは何も書込まれていないカード３（以下総称して単にＩＣカード２３という）を自動的に一枚に毎に表を上にして搬送させながら、操作端末２２の指示に基づいた種類のリフト券カードにして発行させることによって、係員の作業時間を大幅に短縮するものである。
【００３１】
また、文字や内部情報が消されていない自スキー場のリフト券カード１ａ、１ｂ、１ｃ、１ｄがホッパー２４に入れられて搬送されると、これらのリフト券カード１ａ、１ｂ、１ｃ、１ｄの印字情報及び内部情報を自動的に消去した後に、操作端末２２の指示に基づいた種類のリフト券カードにして発行させることによって係員の作業時間を大幅に短縮するものである。
【００３２】
このため、カード発券機２０は、図１に示すように、複数のＩＣカード２３を搬出口２５から一枚毎に落下させるホッパー２４と、ホッパー２４からのＩＣカード２３を第１のカード搬送用ベルト２６上に立てながら搬送し、後述する表整列部に、ピンチローラ２７、２８を介して投函するカード垂直搬送系３０と、カード垂直搬送系３０に設けられた光センサ３３で垂直搬送中のＩＣカード２３の表裏を検出させ、その表裏に応じた回動で、常に第１のストッカー３５に表側（文字情報面）を上にしたＩＣカード２３を投函する反転機３７等からなる表整列部４０とを備えている。
【００３３】
また、ストッカー３５内の表側が上（以下水平という）にされたＩＣカード２３を第２のカード搬送用ベルト４３により、一枚毎に取り出して水平搬送させて、ヒータ４５により、文字を消した後に、ハロゲンローラ４６及びハロゲンローラ４７により、再度熱を加えて後述するリード／ライター搬送系に投函するヒータ搬送系５０と、ヒータ搬送系５０からの文字が消されたＩＣカード２９を送り捩子機構部５５により受けて、この送り捩子機構部５５からの一枚毎の文字が消されたＩＣカード２９を第３のカード搬送用ベルト５７により第１のアンテナ５９の下を通過させながら内部情報を消したＩＣカード３４を得た後に、発券情報に基づいた内部情報を書込んで印字排出機構部６３に搬送するリード／ライト搬送系７０とを備えている。
【００３４】
印字排出機構部６３は、リード／ライト搬送系７０に連結され、第１のアンテナ５９を介して搬送されたＩＣカード３４の表面に、操作端末２２からの発券情報又はキーボード７７に基づいた発券枚数に基づいた印字情報を印字したリフト券カードを発券する。
【００３５】
また、印字排出機構部６３側には、操作端末２２との情報を印字排出機構部６３に伝えたり、カード発券機２０の情報を操作端末２２に伝えたり、あるいはメモリＩＣ７３の情報を読込んで後述するコンピュータ回路部に送る情報読取り制御部７５と、キーボード７７と、ＬＣＤ７９と、コンピュータ回路部の指示に基づいて各部に所定の制御信号を送出するドライバー回路部８０と、操作者によってＩＣカードが上を通過させられると、そのリフト券カードの情報を読込んで回数券情報等を書込む第２のアンテナ８３とを備えている。
【００３６】
コンピュータ回路部９０は、各搬送系の一周期当たりの搬送速度が常に２秒になるように制御する。そして、搬送タイミングのずれが発生したときは、スタッカ３５にＩＣカード２３を蓄積させたり、送り捩子機構部５５にＩＣカード２９を蓄積させる。そして、これらのＩＣカードを上記の搬送速度で一枚毎に取り出させている。
【００３７】
（カード発券機の構成）
図３は図２のカード発券機２０の平面図である。図３に示すように、カード発券機２０のホッパー２４は、上周囲が広口にされている。そして、幅がＩＣカード２３の二枚以下の幅にされた搬出口２５の下部にかけられた第１のベルト機構部１０１と、搬出口２５にかけられた第１のベルト機構部１０１の端からＩＣカード一枚分の厚みだけ離された第２のベルト機構部１０３とを備えて、ＩＣカード２３を一枚毎に、カード垂直搬送系３０とホッパー２４との間に設けられている渡し板１０５に落としてカード垂直搬送系３０に渡す。
【００３８】
また、搬出口２５にＩＣカードが二枚重なって入ったときは、第１のベルト機構部１０１又は第２のベルト機構部１０３のいずれかを逆転させて常に一枚だけ搬出口２５から搬出する。
【００３９】
このカード垂直搬送系３０は、図３に示すように、第１のカード搬送ベルト２６の一方の端に、ＩＣカード２３が端から飛び出さないようにするブラケット１０６が設けられ、かつ第１のカード搬送ベルト２６に沿ってブラケット１０８が設けられている。このブラケット１０８は、ＩＣカード２３を立てながら搬送させると共に、ホッパー２４からのＩＣカード２３が飛び出さないようにするためのものである。
【００４０】
また、カード垂直搬送系３０は図４に示すように、搬出口２５より低い位置に設けられている。従って、渡し板１０５は、カード垂直搬送系３０とホッパー２４との間に所定の傾斜をもって設けられている。
【００４１】
さらに、カード垂直搬送系３０は、図３に示すように、渡し板１０５に沿って、第１のカード搬送ベルト２６の一方の端側が表整列部４０の反転機３７に、ガイド３１、３２、ピンチローラ２７、２８を介して連結されている。
【００４２】
このガイド３１、３２はＩＣカード３をピンチローラ２７、２８にかませるためのである。
【００４３】
このような構成によって、図４に示すように、ホッパー２４の搬出口２５からの一枚毎のＩＣカード２３を第１のベルト機構部２６により垂直に立てながら搬送し、表裏検出用のセンサ３３によりＩＣカード２３の表裏が検出された後に、ガイド３１、３２によりピンチローラ２７、２８にかまされて、表整列部４０の反転機３７に投函される。
【００４４】
そして、図５に示すように、ピンチローラ２７、２８によって反転機３７の仕切りケース３８に挿入されると、反転機はＩＣカード２３を保持しながら文字面が表になるように回動して第１のストッカ３５に蓄積する。例えば、ＩＣカード２３が表の場合は、正方向に４５度回転させ、裏の場合は逆方向に１３５度回転させて第１のスタッカ３５に蓄積する。
【００４５】
ヒータ搬送系５０は図３に示すように、ＩＣカードを搬送させるためのガイド５３がカード垂直搬送系３０に対して垂直に設けられ、このガイド５３の一方の端に表整列部４０が設けられている。また、ガイド５３の中央部にヒータ４５が設けれ、かつヒータ４５の後にハロゲンローラ４６、４７が設けられてリード／ライト搬送系７０に他方が連結されている。このハロゲンローラ４６、４７にはハロゲンランプが内蔵されている。
【００４６】
また、ヒータ搬送系５０は、図３及び図５に示すように、ＩＣカード２３を搬送する第２のカード搬送ベルト４３が設けられ、この第２のカード搬送ベルト４３の爪４４によりＩＣカード２３を第１のストッカ３５から一枚毎に取り出させて水平に搬送する。
【００４７】
そして、図５に示すストッカ４８がＩＣカードを一旦受けとって上昇して、ヒータ４５に近付けて、表面のサーマル記録紙による文字を消去したＩＣカード２９にした後に、第２のカード搬送ベルト４３に渡してハロゲンローラ４６、４７側に搬送させてリード／ライト搬送系７０に送る。
【００４８】
ハロゲンローラ４６、４７は、ヒータ４５によってもＩＣカードに付着している水滴が除去されない場合又は文字が消去されない場合に、このハロゲンローラ４６、４７で完全に水滴を除去すると共に、文字を消字去する。
【００４９】
リード／ライト搬送系７０は、図３に示すようにＩＣカードを搬送させるためのガイド６５がヒータ搬送系５０に対して垂直に、かつカード垂直搬送系３０に対して平行に設けられている。
【００５０】
また、このガイド６５の一方の端に送り捩子機構部５５が設けられ、中央部に第１のアンテナ５９が設けれ、かつ第１のアンテナ５９の後に印字排出機構部６３が設けられ、送り捩子機構部５５からのＩＣカード２９を第３のカード搬送ベルト５７が水平搬送する。
【００５１】
送り捩子機構部５５は、図６に示すように、ヒータ搬送系５０からのＩＣカード２９を蓄積するストッカ５４と、ＩＣカード２９を一枚毎に排出するカードキャリア５６と、カードキャリア５６を制御する送り捩子６０等から構成され、一枚毎にＩＣカード２９を第３のカード搬送ベルト５７に排出する。
【００５２】
第１のアンテナ５９は第３のカード搬送ベルト５７上に所定間隔を有して配置され、搬送されてくるカードＩＣ２９の内部情報を消去して、発券情報に基づく情報を書込んだＩＣカード３４にする。
【００５３】
印字排出機構部３４は、発券情報に基づいた情報をリフトカードに印字した所望のリフト券カードを排出する。
【００５４】
また、印字排出機構部６３の近傍には、ガラス等に覆われて筐体に、上側が連結された第２のアンテナ８３が設けられている。この第２のアンテナ８３は、一般には、回数券情報を書込むために使用される。例えば、操作者がガラス面にＩＣカードを通過させたりすると、その内部情報を読込んでコンピュータ回路部９０に出力し、コンピュータ回路部９０からの制御に基づいて所定のリフト券情報を書込む。
【００５５】
上記のように構成されたカード発券装置について以下に動作を説明する。図７及び図８は一枚のリフトカードを発券するまでのカード発券機２０の動作を説明するフローチャートである。
【００５６】
発券機２０の電源を投入すると発券機２０の情報読取り制御部７５がメモリＩＣの情報を読取り、操作端末２２及びコンピュータ回路部９０に送出して、本装置をリフト券発券用のシステムにする。
【００５７】
そして、操作端末２２が操作されて券の種類、スキー場名、金額、枚数等からなる発券情報が設定されると、発券機２０の情報読取り制御部７５がこれらの情報をコンピュータ回路部９０に送出する。
【００５８】
コンピュータ回路部９０は、直ちにドライバー回路８０を制御して各搬送系を動作状態にする（Ｓ７０１）。
【００５９】
このような状態のときに、回収機によって回収されたＩＣカード２３が発券機２０のホッパー２４にバラバラに投入されているとすると、ホッパー２４内の第１のベルト機構部１０１と第２のベルト機構部１０３とにより、搬出口２５からＩＣカード２３が一枚毎に排出されて渡し板１０５を介してカード垂直搬送系３０に落とされる。
【００６０】
このとき、カード垂直搬送系３０の第１のカード搬送ベルト２６に沿って、ブラケット１０８が設けられているので、ＩＣカード２３は図４に示すように立てられた状態で搬送され、表裏検出用のセンサ３３により、ＩＣカード２３の表裏の色が検出され、表裏検出信号としてコンピュータ回路部９０に出力されて、ピンチローラ２７、２８に渡される。
【００６１】
コンピュータ回路部９０は、表裏検出用のセンサ３３からの表裏検出信号に基づいて、ＩＣカード２３の表裏を判定する（Ｓ７０２）。
【００６２】
そして、判定結果が表（例えば、ガイド３２側に面している面の色が青のとき）の場合は、反転機３７を４５度回転させる反転機制御信号をドライバー回路８０に送出すると共に、ピンチローラ２７、２８を回動させるピンチローラ制御信号をドライバー回路８０に送出して、ＩＣカード２３の表を上にして第１のストッカ３５に水平に投函させる（Ｓ７０３）。
【００６３】
また、ステップＳ７０２でＩＣカード２３が裏側であると判定した場合は、反転機３７を１４５度逆回転させる反転機制御信号をドライバー回路８０に送出すると共に、ピンチローラ２７、２８を回動させるピンチローラ制御信号をドライバー回路８０に送出して、ＩＣカード２３の表を上にして第１のストッカ３５に水平に投函させて、処理をステップＳ７０５に移す（Ｓ７０４）。
【００６４】
すなわち、バラバラにホッパー２４に投函されたＩＣカードが自動的に表側にされて積み重ねられている。
【００６５】
次に、第１のストッカ３５にＩＣカード２３が投函されると、リード／ライト搬送系７０に設けられている送り捩子機構部５５の第２のストッカ５４にＩＣカード２９が投函されているかどうかを判定する（Ｓ７０５）。そして、第２のストッカ５４にＩＣカード２９が投函されていると判定したときは、所定枚数以上かどうかを判定する（Ｓ７０６）。
【００６６】
ステップＳ７０６で、所定枚数以上と判定したときは、第１のストッカ３５からのＩＣカード２３の送出を待機させると共に、リード／ライト搬送系７０の第２のストッカ５５からＩＣカード２９を一枚取り出させた後に、第１のストッカ３５から一枚のＩＣカード２３を取り出させるカード取出信号をドライバー８０に送出する（Ｓ７０７）。
【００６７】
次に、コンピュータ回路部９０はリード／ライト搬送系７０の第１のアンテナ５９を駆動して、送り捩子機構部５５から搬送された一枚のＩＣカード２９からの内部情報を受信させる（Ｓ７０９）。
【００６８】
また、ステップＳ７０５で送り捩子機構部５５にＩＣカード２９が無いと判定したとき、又はステップＳ７０６で捩子機構部５５に所定数以上のＩＣカード２９が無いと判定したときは、第１のストッカ３５からＩＣカード２３を一枚取出させるカード取出信号をドライバー８０に送出する（Ｓ７１０）。
【００６９】
そして、送り捩子機構部５５の第２のストッカ５４にＩＣカード２９が投函されると、直ちに送り機構部５５からＩＣカード２９を取出させる取出信号をドライバー８０に出力して制御をステップＳ７０９に戻す（Ｓ７１２）。
【００７０】
次に、コンピュータ回路部９０は、図８に示すように、図７のステップＳ７０９でリード／ライト搬送系７０の第１のアンテナ５９を駆動したとき、ＩＣカード２９の内部情報が受信されたかどうかを判定する（Ｓ８０１）。つまり、ＩＣカード２９に内部情報が記憶されているかどうかを判定する。
【００７１】
ステップＳ８０１で内部情報が無いと判定したときは、第１のアンテナ５９を駆動してＩＣカード２９に、操作端末２２に基づいた発券情報を書込んだＩＣカード３４を作成する（Ｓ８０２）。例えば、スキー場名と、年月日と、券種（一日券、半日券、回数券、ナイタ券）と、金額と、会社コードを書込む。
【００７２】
次に、印字排出機構部６３は、ＩＣカード３４が搬送されて来ると、操作端末２２に基づいた発券情報を表に印字したリフト券カード１ａ、１ｂ、１ｃ又は１ｄを発券する（Ｓ８０３）。例えば、スキー場名と、年月日と、券種と、金額とを印字する。
【００７３】
また、ステップＳ８０１でＩＣカード２９に内部情報が有ると判定したときは、第１のアンテナ５７を駆動し、その内部情報を消去して処理をステップＳ８０２に戻す（Ｓ８０４）。
【００７４】
すなわち、係員がリフト券カード回収機１３の回収箱１１ごと販売所に持って行く途中のゲレンデに文字や内部情報が消去されていな自スキー場のリフト券カードを拾って、回収箱１１に持ち込んでも、カード発券機２０のホッパー２４に入れると、自動的に表面の文字及び内部情報が消去されて新しいリフト券カード１ａ、１ｂ、１ｃ、１ｄとして発券される。
【００７５】
次に端末装置２２について説明する。端末装置２２は、起動に伴って、少なくともリフト券発券と、集計表示と、廃券処理と、保守とからなるメイン画面を表示する。
【００７６】
このリフト券発券は、上記のカード発券機２０から１日券、２日券、時間券、回数券等を発券させる通常発券機能と、数回使用した回数券カードの回数を変更する買足し機能と、２枚の回数券カードの回数を合計した一枚のリフト券カードを発券させる寄集め機能等を備えている。
【００７７】
また、リフト券カードを発行する他に、リフト券カードの内容を読み取り表示する確認機能と、使用済みカードを回収して保証金を返却する回収機能と、何等かの理由で使用できないリフト券カードの代金を返却する払い戻し機能と、発券したリフト券カード枚数、売上金額等を集計したり、一日の終わりに集計結果をメモリカードに書込む集計表示機能と、発券したカードを廃棄処分扱いにする廃券処理機能と、設定データの登録及び変更を行う保守機能等を備えている。
【００７８】
このような各機能について図面を用いて説明する。例えば、係員がメイン画面のリフト券発券機能を選択すると、メイン画面に代えて図９のリフト券発券画面を表示する。本例の端末装置は、１日券、２日券、３日券、１０日券、２時間券、４時間券、回数券大、回数券小等のリフト券カードを発券させる。
【００７９】
そして、発券したい券種を発券枚数分だけライトペンで押すと、合計金額を表示する。次に、預かり金額（例えば１５０００円）が入力されて発券ボタンが押されると、図１０に示す画面を表示して、これらの情報を上記のカード発券機２０に送る。カード発券機２０の情報読取り制御部７５は操作端末から情報を受けてコンピュータ回路部９０に出力して、上記のように各搬送系を制御して所定のリフト券カードを発券する。
【００８０】
また、図９に示す訂正ボタンが押されると、その押下回数に応じて発券枚数を減算する。
【００８１】
さらに、本操作端末は拡張機能が付加されている。この拡張機能の画面は図９の次候補ボタンの押下によって機能し、買足しボタンと、寄集めボタンと、追加ボタン、払戻ボタンと、確認ボタンと、回収ボタン等からなっている。
【００８２】
例えば、買足ボタンがライトペンにより押されると、操作端末２２は、画面に「カードをセット」のメッセージを表示する。
【００８３】
このカードのセットというのは、カード発券機２０の第２のアンテナ８３上にリフト券カードをセットさせることである。
【００８４】
そして、画面上の実行ボタン（図示せず）が押されると、操作端末２２はカードの読み取り指示をカード発券機２０に送出する。カード発券機２０の情報読取り制御部７５は、操作端末から情報を受けてコンピュータ回路部９０に出力する。コンピュータ回路９０は、ドライバー回路部８０を制御して第２のアンテナ８３からセットされたカードの内部情報を情報読取り制御部７５により、操作端末に送出させる。
【００８５】
例えば、セットされたカードが「回数券」で、発行日が「１９９５−１１−１６」、初回使用が「１９９５−１１−１６」、最終使用が「１９９５−１１−１６」、残数が「６」、保証金が「１０００円」の場合は図１１に示すカード内容画面とテンキー画面とを表示する。
【００８６】
そして、加算する数を図１１のテンキーの中から選択し、実行を押すと、残数にテンキーから入力された数を加算した数にしたリフト券情報をカード発券機２０に送出する。
【００８７】
カード発券機２０のコンピュータ回路部９０は上記説明のように操作端末から情報を受けて第１のアンテナ５９により、搬送されて来るＩＣカード２９に書込む。
【００８８】
すなわち、数回使用した回数券カードに数を加算して所望の回数の回数券カードにする。
【００８９】
また、寄集めボタンが押されたときは、操作端末２２は、画面に「カードをセット」のメッセージを表示して一枚目のカード情報をカード発券機２０の第２のアンテナ８３により読み込ませて、その情報受ける。
【００９０】
そして、二枚目のカードをセットさせて、一枚目のカード情報をカード発券機２０の第２のアンテナ８３により読み込ませて、その情報受ける。例えば、図１２に示すように、２枚のカードの情報が画面に表示されたとする。
【００９１】
このような図１２の二枚のカードが表示されているときに、図１２の実行を押すと操作端末２２の両方の残数を加算した数のリフト券情報をカード発券機２０に送出する。カード発券機２０のコンピュータ９０は、リード／ライト搬送系７０の第１のアンテナ５９を制御して両方の残数を加算した数のリフト券情報を搬送されて来るＩＣカード２９に書込んで発券させる。
【００９２】
従って、一度発券したリフト券カードであっても、スキーヤーの要望に応じて容易に変更ができる。
【００９３】
なお、上記説明では、リフト券カードの発券に用いる例を説明したが、他の非接触のＩＣカードを発券させてもよい。
【００９４】
【発明の効果】
以上のように、本発明によれば、単にカードをカード発券機に放り込むだけで、自動的に所望のカードを所望枚数得ることができるので、係員の作業時間を大幅に短縮させることができる。
【０１００】
また、販売所の係員がホッパー部にカードを投函するだけで、自動的に表面の印字及び内部情報が消去されて、所望の発券情報が記憶され、かつ所望の発券情報が表面に印字されたカードが所望の枚数得られるので、係員の労働を低減させることができるという効果が得られている。
【０１０１】
また、カード垂直搬送系及びリード／ライト搬送系は、ヒータ搬送系を挟んで、それぞれ平行に設けられている。このため、各搬送系全体がコの字型になるので、装置全体が小さくなるという効果が得られている。
【図面の簡単な説明】
【図１】本発明の実施の形態のリフトカード発券装置の概略構成図である。
【図２】リフトカード発券装置の外観図である。
【図３】図２のカード発券機２０の平面図である。
【図４】カード垂直搬送を説明する説明図である。
【図５】表整列部を説明する説明図である。
【図６】送り捩子機構部を説明する説明図である。
【図７】一枚のリフトカードを発券するまでの動作を説明するフローチャートである。
【図８】一枚のリフトカードを発券するまでの動作を説明するフローチャートである。
【図９】端末装置のリフト券発券画面を説明する説明図である。
【図１０】端末装置のカード発券画面を説明する説明図である。
【図１１】端末装置のカード買足し画面を説明する説明図である。
【図１２】端末装置のカード寄集め画面を説明する説明図である。
【図１３】従来のカード発券機を用いたスキー場自動改札システムを説明する説明図である。
【符号の説明】
１ａ  一日券用のリフト券カード
１ｂ  半日券用のリフト券カード
１ｃ  回数券用のリフト券カード
１ｄ  ナイター券用のリフト券カード
２０  カード発券機
２２  操作端末
２４  ホッパー
２５  搬出口
２６  第１のカード搬送用ベルト
３０  カード垂直搬送系
３７  反転機
４０  表整列部
５０  ヒータ搬送系
６３  印字排出機構部
７０  リード／ライト搬送系
９０  コンピュータ回路部９０
【図１】
0003761944.tif 000002
【図２】
0003761944.tif 000003
【図３】
0003761944.tif 000004
【図４】
0003761944.tif 000005
【図５】
0003761944.tif 000006
【図６】
0003761944.tif 000007
【図７】
0003761944.tif 000008
【図８】
0003761944.tif 000009
【図９】
0003761944.tif 000010
【図１０】
0003761944.tif 000011
【図１１】
0003761944.tif 000012
【図１２】
0003761944.tif 000013
【図１３】
0003761944.tif 000014